(57)【要約】【課題】端子金具の接続信頼性を向上させるとともに、端子金具の端子保持力を向上させ、端子金具の位置決め精度を向上させる。【解決手段】本発明は、端子金具１７が端子保持部１８に圧入保持されるコネクタ１０であって、端子金具１７は、横長方形の断面形状をなし、下面部１７Ａと、下面部１７Ａの両側縁から上方に立ち上がる一対の側面部１７Ｂと、一対の側面部１７Ｂの上縁同士を連結して下面部１７Ａと上下方向に対応して配置された上面部１７Ｃとを備えて構成され、端子保持部１８は、一対の側面部１７Ｂと干渉する一対の側壁１８Ｂと、下面部１７Ａのうち相手側端子金具２１と接触しない非接触部１７Ｄと干渉する下側干渉部１８Ｅを有する底壁１８Ａと、上面部１７Ｃのうち相手側端子金具２１と接触しない非接触部１７Ｄと干渉する上側干渉部１８Ｄを有する天井壁１８Ｃとを備えて構成されたところに特徴を有する。【選択図】図５
2010040257.tif 000002
【特許請求の範囲】
【請求項１】
端子金具が端子保持部に圧入保持されるコネクタであって、
前記端子金具は、横長方形の断面形状をなし、下面部と、前記下面部の両側縁から上方に立ち上がる一対の側面部と、前記一対の側面部の上縁同士を連結して前記下面部と上下方向に対応して配置された上面部とを備えて構成され、
前記端子保持部は、前記一対の側面部と干渉する一対の側壁と、前記下面部のうち相手側端子金具と接触しない非接触部と干渉する下側干渉部を有する底壁と、前記上面部のうち相手側端子金具と接触しない非接触部と干渉する上側干渉部を有する天井壁とを備えて構成されたことを特徴とするコネクタ。
【請求項２】
前記上面部の非接触部と前記下面部の非接触部は、それぞれ前記相手側端子金具と接触する接触部の両側に一対設けられ、前記上側干渉部と前記下側干渉部はいずれも、前記一対の非接触部に対応して一対設けられていることを特徴とする請求項１に記載のコネクタ。
【請求項３】
前記側壁とこの側壁の上下両側に配置された前記上側干渉部および前記下側干渉部とは、略門形をなして一体に設けられていることを特徴とする請求項１または請求項２に記載のコネクタ。
【請求項４】
前方に開口するフード部を有し、前記フード部の奥壁に前記端子保持部が設けられているハウジングを備え、前記端子保持部に対して前記端子金具が前記奥壁の後方から圧入されることを特徴とする請求項１ないし請求項３のいずれか一項に記載のコネクタ。
【発明の詳細な説明】
【技術分野】
【０００１】
本発明は、端子金具が端子保持部に圧入保持されるコネクタに関する。
【背景技術】
【０００２】
この種のコネクタとして、例えば下記特許文献１および２に記載のコネクタが知られている。これらのコネクタは、横長方形の断面形状をなす端子金具の四隅と干渉する端子保持部を備えている。このように端子金具の四隅で保持すると、相手側端子金具の接点部分と接続される接触部を端子保持部に干渉させなくてよいから、接触部に傷が付いたり、樹脂が付着したりすることがなく、接続信頼性を向上させることができる。しかし、この端子保持部は、端子金具の四隅を保持するだけであるため、十分な端子保持力が得られず、端子金具の位置決め精度も低下してしまう。かといって、下記特許文献３に記載のコネクタのように、端子金具を端子保持部の全周に亘って干渉させたら、前記したように、接触部が端子保持部と干渉し、接続信頼性が低下してしまう。
【特許文献１】特開２０００−１５００２２公報
【特許文献２】実開昭５５−５７９８７号公報
【特許文献３】実用新案登録第２５８０８６５号公報
【発明の開示】
【発明が解決しようとする課題】
【０００３】
上記のように端子金具を端子保持部に圧入保持する場合に、接続信頼性を向上させるという課題と、十分な端子保持力を確保しつつ端子金具の位置決め精度を向上させるという課題とは相容れないものであり、双方の課題を同時に達成することは極めて困難であった。
【０００４】
本発明は上記のような事情に基づいて完成されたものであって、端子金具の接続信頼性を向上させるとともに、端子金具の端子保持力を向上させ、端子金具の位置決め精度を向上させることを目的とする。
【課題を解決するための手段】
【０００５】
本発明は、端子金具が端子保持部に圧入保持されるコネクタであって、端子金具は、横長方形の断面形状をなし、下面部と、下面部の両側縁から上方に立ち上がる一対の側面部と、一対の側面部の上縁同士を連結して下面部と上下方向に対応して配置された上面部とを備えて構成され、端子保持部は、一対の側面部と干渉する一対の側壁と、下面部のうち相手側端子金具と接触しない非接触部と干渉する下側干渉部を有する底壁と、上面部のうち相手側端子金具と接触しない非接触部と干渉する上側干渉部を有する天井壁とを備えて構成されたところに特徴を有する。
【０００６】
このような構成において端子金具を端子保持部に圧入すると、一対の側面部を一対の側壁に干渉させ、上面部の非接触部を上側干渉部に干渉させ、下面部の非接触部を下側干渉部に干渉させることにより、端子金具を位置決め状態で強固に保持することができる。一方、上面部および下面部において相手側端子金具と接触する接触部には、傷が付いたり、樹脂が付着したりしないため、接続信頼性を向上させることができる。したがって、端子金具の接続信頼性を向上させるとともに、端子保持力を向上させ、位置決め精度を向上させることができる。
【０００７】
本発明の実施の態様として、以下の構成が好ましい。
上面部の非接触部と下面部の非接触部は、それぞれ相手側端子金具と接触する接触部の両側に一対設けられ、上側干渉部と下側干渉部はいずれも、一対の非接触部に対応して一対設けられている構成としてもよい。
このような構成によると、上面部の一対の非接触部を一対の上側干渉部に干渉させ、下面部の一対の非接触部を一対の下側干渉部に干渉させることができる。
【０００８】
側壁とこの側壁の上下両側に配置された上側干渉部および下側干渉部とは、略門形をなして一体に設けられている構成としてもよい。
このような構成によると、側壁と上側干渉部と下側干渉部を一体に設けることができ、これらを別々に設けた場合よりも強化することができる。
【０００９】
前方に開口するフード部を有し、フード部の奥壁に端子保持部が設けられているハウジングを備え、端子保持部に対して端子金具が奥壁の後方から圧入される構成としてもよい。
このような構成によると、端子金具を奥壁の後方から端子保持部に圧入することにより端子金具を保持することができる。
【発明の効果】
【００１０】
本発明によれば、端子金具の接続信頼性を向上させるとともに、端子金具の端子保持力を向上させ、端子金具の位置決め精度を向上させることができる。
【発明を実施するための最良の形態】
【００１１】
＜実施形態１＞
本発明の実施形態１を図１ないし図５の図面を参照しながら説明する。本実施形態のコネクタ１０は、図１に示すように、いわゆる基板用コネクタであって、プリント配線板（図示せず）上の所定の位置に載置されて半田付けにより固定されるようになっている。また、コネクタ１０は、相手側コネクタ２０と嵌合可能に設けられている。なお、以下の説明においては、コネクタ１０と相手側コネクタ２０との嵌合方向を前後方向とし、互いの嵌合面側を前側とする。
【００１２】
コネクタ１０は合成樹脂製のハウジング１１を有し、このハウジング１１には前方に開口するフード部１２が設けられている。フード部１２内の上面前端には、下方に突出するロック突部１３が形成されている。なお、フード部１２の奥壁１４においてロック突部１３の後方部分には、ロック突部１３を成形するための型抜き孔１５が形成されている。
【００１３】
ハウジング１１は、図２に示すように、左右方向に長い扁平形状をなしている。ハウジング１１においてロック突部１３の左右方向両側には、前後方向に延びる一対のガイドリブ１６が設けられている。両ガイドリブ１６は、相手側コネクタ２０に設けられた一対のガイド凹部（図示せず）と嵌合可能であり、両コネクタ１０，２０の嵌合動作を案内可能である。
【００１４】
ハウジング１１の左右方向両側面には、Ｌ字状に折り曲げ加工された固定金具（図示せず）が装着されている。この固定金具は、金属板をプレス加工して形成したものであり、ハウジング１１に対して圧入によって固定されている。また、固定金具は、基板の表面に沿って配された半田付け部を有している。このため、コネクタ１０は、半田付け部が基板上に半田付けされることにより基板上に固定される。
【００１５】
相手側コネクタ２０は、フード部１２の内部に嵌合可能とされている。また、相手側コネクタ２０には、コネクタ１０との嵌合に伴ってロック突部１３が上下方向から嵌り込むロック孔（図示せず）が設けられている。これにより、両コネクタ１０，３０は、ロック孔に嵌り込んだロック突部１３がロック孔の内面と前後方向に係止することで正規嵌合状態に保持される。
【００１６】
フード部１２の奥壁１４には、図１および図２に示すように、タブ状をなす端子金具１７が上下２段に分かれて前方に突出する形態で複数配設されている。端子金具１７は、図１に示すように、相手側コネクタ２０に設けられた相手側端子金具２１と接続可能である。相手側端子金具２１は、図３に示すように、角筒状をなす本体部２２を有し、その本体部２２の前面には、端子金具１７を内部に導く前面開口２８が開口している。
【００１７】
本体部２２を構成する下面部２３には、本体部２２の内部側に叩き出されることにより下面部２３よりも内側に一段凹んだ下側接点部２４が設けられている。一方、本体部２２を構成する上面部２５には、その前縁から後方へ折り返されることにより上下方向に弾性変位可能な弾性接触片２６が設けられている。弾性接触片２６において下側接点部２４と上下方向に対応する位置には、球状をなして下側に叩き出された上側接点部２７が設けられている。
【００１８】
自然状態における弾性接触片２６の上側接点部２７と下側接点部２４との間隔は、端子金具１７の板厚よりも小さめとされている。したがって、端子金具１７を前面開口２８から本体部２２の内部に進入させ、弾性接触片２６を撓み変形させつつ端子金具１７が上側接点部２７と下側接点部２４との間に割って入ると、端子金具１７が上側接点部２７と下側接点部２４とに弾性的に接触し、両端子金具１７，２１が導通可能に接続される。
【００１９】
さて、フード部１２の奥壁１４には、図４に示すように、端子金具１７を圧入保持するための端子保持部１８が前後方向に貫通して設けられている。端子保持部１８は、その下側を構成する底壁１８Ａと、その左右両側を構成する一対の側壁１８Ｂと、その上側を構成する天井壁１８Ｃとを備えて構成されている。また、底壁１８Ａの左右両側には、横長方形の断面形状をなす下側干渉部１８Ｅが前後方向に沿って設けられている。同様に、天井壁１８Ｃの左右両側には、横長方形の断面形状をなす上側干渉部１８Ｄが前後方向に沿って設けられている。
【００２０】
また、側壁１８Ｂとこの側壁１８Ｂの上下両側に配置された上側干渉部１８Ｄおよび下側干渉部１８Ｅとは、略門形をなして一体に設けられている。このため、圧入の際に側壁１８Ｂと上下の両干渉部１８Ｄ，１８Ｅとが端子金具１７から応力を受けても変形することを防ぐことができる。したがって、側壁１８Ｅと上下の両干渉部１８Ｄ，１８Ｅに端子金具１７を確実に食い込ませることができる。
【００２１】
ここで、端子金具１７の構成について詳細に説明すると、図５に示すように、端子金具１７は、横長方形の断面形状をなし、下面部１７Ａと、下面部１７Ａの両側縁から上方に立ち上がる一対の側面部１７Ｂと、一対の側面部１７Ｂの上縁同士を連結して下面部１７Ａと上下方向に対応して配置された上面部１７Ｃとを備えて構成されている。また、下面部１７Ａと一対の側面部１７Ｂと上面部１７Ｃは、先端部１７Ｆに向かうほど先細り形状となっている。
【００２２】
端子金具１７が端子保持部１８に圧入保持された状態では、一対の側面部１７Ｂが一対の側壁１８Ｂと干渉し、上面部１７Ａにおいて上側接点部２７と接触しない非接触部１７Ｄが上側干渉部１８Ｄと干渉し、下面部１７Ｂにおいて下側接点部２４と接触しない非接触部１７Ｄが下側干渉部１８Ｅと干渉する。
【００２３】
これにより、端子金具１７は、上下の両干渉部１８Ｄ，１８Ｅによって上下方向への遊動が規制され、一対の側壁１８Ｂによって左右方向への遊動が規制され、もって上下左右に位置決めされた状態に保持される。さらに、端子金具１７は、一対の側壁１８Ｂおよび上下の両干渉部１８Ｄ，１８Ｅとの摩擦抵抗により高い端子保持力で前後方向への遊動が規制され、端子保持部１８に対して抜止状態に保持される。
【００２４】
これらに加えて、上下両面部１７Ａ，１７Ｃにおいて上下の両接点部２４，２７と接触可能な接触部１７Ｅは、底壁１８Ａおよび天井壁１８Ｃと干渉しないから、接触部１７Ｅに傷が付いたり、樹脂が付着したりすることを回避することができる。したがって、端子金具１７と相手側端子金具２１との接続信頼性を向上させることができる。
【００２５】
本実施形態は以上のような構成であって、続いてその圧入方法について説明する。まず、圧入機（図示せず）にハウジング１１と端子金具１７をそれぞれ所定の位置にセットする。次に、端子金具１７は、圧入機によって所定の部分を押し込むようにして端子保持部１８に対して精度よく所定の圧入位置に圧入される。このとき、一対の側面部１７Ｂは一対の側壁１８Ｂに干渉し、下面部１７Ａの非接触部１７Ｄは下側干渉部１８Ｅに干渉し、上面部１７Ｃの非接触部１７Ｄは上側干渉部１８Ｄに干渉するものの、上面部１７Ｃの接触部１７Ｅおよび下面部１７Ａの接触部１７Ｅは、天井壁１８Ｃおよび底壁１８Ａに干渉しない。
【００２６】
したがって、接触部１７Ｅに傷が付いたり、樹脂が付着したりすることがなく、端子金具１７と相手側端子金具２１との接続信頼性を向上させることができる。また、端子金具１７が上下左右に遊動することが規制され、さらに端子保持部１８との摩擦抵抗によって端子金具１７が前後方向に遊動することが規制される。以上のように本実施形態によれば、端子金具１７と相手側端子金具２１との接続信頼性を向上させるとともに、端子金具１７の端子保持力を向上させ、端子金具１７の位置決め精度を向上させることができる。
【００２７】
＜実施形態２＞
次に、本発明の実施形態２を図６および図７の図面を参照しながら説明する。本実施形態におけるコネクタは、実施形態１の端子保持部１８の構造を一部変更したものであって、同一の構成については同一の符号を付すものとし、その他の共通する構成、作用、および効果についてはその説明を省略する。すなわち、本実施形態の端子保持部３０は、図６に示すように、実施形態１の一対の上側干渉部１８Ｄの一方をなくすとともに、一対の下側干渉部１８Ｅの一方をなくしたものである。なお、上側干渉部１８Ｄと下側干渉部１８Ｅは、端子保持部１８の対角の位置に配設されている。このようにすると、図７に示すように、実施形態１よりも広い接触部１７Ｅを確保しつつ、上下の両干渉部１８Ｄ，１８Ｅによって端子金具１７を上下方向からバランスよく保持することができる。
【００２８】
＜他の実施形態＞
本発明は上記記述及び図面によって説明した実施形態に限定されるものではなく、例えば次のような実施形態も本発明の技術的範囲に含まれる。
（１）実施形態２では上側干渉部１８Ｄと下側干渉部１８Ｅを端子保持部１８の対角の位置に配設しているものの、本発明によると、上側干渉部１８Ｄと下側干渉部１８Ｅをともに左側、あるいは右側に配設してもよい。また、上側干渉部１８Ｄと下側干渉部１８Ｅのいずれか一方は、左右両側に配設してもよい。
【００２９】
（２）本実施形態では側壁１８Ｂ、上側干渉部１８Ｄ、下側干渉部１８Ｅが略門形をなして一体に設けられているものの、本発明によると、側壁１８Ｂ、上側干渉部１８Ｄ、下側干渉部１８Ｅをそれぞれ分離して設けてもよい。
【００３０】
（３）本実施形態では基板用コネクタに適用しているものの、本発明によると、中継端子を有する中継コネクタに適用してもよい。この場合、中継端子の一端側と他端側を仕切る仕切板に端子保持部を貫通して形成し、この端子保持部に中継端子を圧入保持すればよい。
【図面の簡単な説明】
【００３１】
【図１】実施形態１におけるコネクタと相手側コネクタとの嵌合状態を示した断面図
【図２】実施形態１のコネクタの正面図
【図３】実施形態１の端子金具と相手側端子金具の接続状態を示した断面図
【図４】実施形態１において端子金具を圧入する前の端子保持部の正面図
【図５】実施形態１において端子金具を圧入した後の端子保持部の正面図
【図６】実施形態２において端子金具を圧入する前の端子保持部の正面図
【図７】実施形態２において端子金具を圧入した後の端子保持部の正面図
【符号の説明】
【００３２】
１０…コネクタ
１１…ハウジング
１２…フード部
１４…奥壁
１７…端子金具
１７Ａ…下面部
１７Ｂ…側面部
１７Ｃ…上面部
１７Ｄ…非接触部
１７Ｅ…接触部
１８…端子保持部
１８Ａ…底壁
１８Ｂ…側壁
１８Ｃ…天井壁
１８Ｄ…上側干渉部
１８Ｅ…下側干渉部
２１…相手側端子金具
３０…端子保持部
４０…端子保持部
【図１】
2010040257.tif 000003
【図２】
2010040257.tif 000004
【図３】
2010040257.tif 000005
【図４】
2010040257.tif 000006
【図５】
2010040257.tif 000007
【図６】
2010040257.tif 000008
【図７】
2010040257.tif 000009